(57)【要約】本発明は、水溶性単位用量物品を希釈して布地を処理するための主洗浄液を生成し、続いて柔軟化組成物を希釈することによって形成された第２の後続のすすぎ液中で、上記の布地を処理する工程を伴う、布地を洗濯する方法に関する。
2020529531.tif 000002
【特許請求の範囲】
【請求項１】
布地を洗濯する方法であって、
ａ．水溶性単位用量物品を準備する工程であって、前記水溶性単位用量物品は、水溶性フィルムと洗濯洗剤組成物とを含み、前記洗濯洗剤組成物は、非石鹸アニオン性界面活性剤と、カチオン性多糖ポリマーと、前記洗濯洗剤組成物の１０重量％未満の脂肪酸、中和脂肪酸石鹸、又はこれらの混合物と、を含む、水溶性単位用量物品を準備する工程と、
ｂ．前記水溶性単位用量物品を十分な量の水と接触させて前記洗濯洗剤組成物を３００〜３０００倍に希釈して主洗浄液を生成し、洗濯される布地を前記洗浄液と接触させる工程と、
ｃ．前記洗浄される布地を前記主洗浄液中で洗浄し、続いて前記布地及び前記主洗浄液を互いに分離する工程と、
ｄ．布地柔軟化組成物を提供する工程であって、前記布地柔軟化組成物は、第四級アンモニウム化合物、アミン、脂肪酸エステル、ショ糖エステル、シリコーン、分散性ポリオレフィン、多糖類、脂肪酸、柔軟化油、ポリマーラテックス、柔軟化粘土、及びこれらの組み合わせからなる群から選択される柔軟化活性物質を含み、好ましくは、前記布地柔軟化活性物質は、第四級アンモニウム化合物、及びこれらの混合物、より好ましくはエステルクワットからなる群から選択され、最も好ましくは、前記布地柔軟化活性物質は、ジエステルクワット、より好ましくはジエチルエステルジメチルアンモニウムクロリドからなる群から選択される、布地柔軟化組成物を提供する工程と、
ｅ．前記布地柔軟化組成物を十分な量の水と接触させて、前記布地柔軟化組成物を３００〜３０００倍に希釈してすすぎ液を生成し、工程ｃからの前記布地を前記すすぎ液と接触させる工程と、
ｆ．前記布地を前記すすぎ液中ですすぎ洗いし、続いて前記布地及び前記すすぎ液を互いに分離する工程と、
ｇ．前記布地を乾燥させる工程と、を含む、方法。
【請求項２】
前記洗浄液及び前記すすぎ液は、独立して、１Ｌ〜６４Ｌ、好ましくは２Ｌ〜３２Ｌ、より好ましくは３Ｌ〜２０Ｌの水を含む、請求項１に記載のプロセス。
【請求項３】
前記主洗浄液は、５℃〜９０℃、好ましくは１０℃〜６０℃、より好ましくは１２℃〜４５℃、最も好ましくは１５℃〜４０℃の温度である、請求項１又は２に記載のプロセス。
【請求項４】
前記主洗浄液中での前記布地の洗浄は、完了までに５分〜５０分、好ましくは５分〜４０分、より好ましくは５分〜３０分、更により好ましくは５分〜２０分、最も好ましくは６分〜１８分かかる、請求項１〜３のいずれか一項に記載のプロセス。
【請求項５】
前記すすぎ液は、５℃〜３０℃、好ましくは５℃〜２５℃、より好ましくは５℃〜２０℃、最も好ましくは５℃〜１５℃の温度である、請求項１〜４のいずれか一項に記載のプロセス。
【請求項６】
前記すすぎ液中での前記布地のすすぎ洗いは、完了までに１分〜３０分、好ましくは２分〜２５分、より好ましくは３分〜２０分、最も好ましくは５分〜１５分かかる、請求項１〜５のいずれか一項に記載のプロセス。
【請求項７】
前記主洗浄液及び前記すすぎ液は、独立して１ｋｇ〜２０ｋｇ、好ましくは３ｋｇ〜１５ｋｇ、最も好ましくは５〜１０ｋｇの布地を含む、請求項１〜６のいずれか一項に記載のプロセス。
【請求項８】
前記洗濯洗剤組成物は、前記洗濯洗剤組成物の０．０５重量％〜１０重量％、好ましくは０．１重量％〜５重量％、より好ましくは０．２重量％〜３重量％、最も好ましくは０．２５重量％〜１重量％の前記カチオン性多糖ポリマーを含む、請求項１〜７のいずれか一項に記載のプロセス。
【請求項９】
前記カチオン性多糖ポリマーは、カチオン変性ヒドロキシエチルセルロース、カチオン変性ヒドロキシプロピルセルロース、カチオン疎水変性ヒドロキシエチルセルロース、カチオン疎水変性ヒドロキシプロピルセルロース、又はこれらの混合物から選択され、より好ましくは、カチオン変性ヒドロキシエチルセルロース、カチオン疎水変性ヒドロキシエチルセルロース、又はこれらの混合物から選択され、好ましくは、前記カチオン性多糖類は微粒子の形態であり、好ましくは、前記微粒子のカチオン性多糖類は、３００μｍ未満、より好ましくは２００μｍ未満、更により好ましくは１５０μｍ未満の平均Ｄ９０直径を有する、請求項１〜８のいずれか一項に記載のプロセス。
【請求項１０】
前記非石鹸アニオン性界面活性剤は、直鎖状アルキルベンゼンスルホネート、アルコキシル化アルキルサルフェート、又はこれらの混合物、より好ましくはこれらの混合物を含み、直鎖状アルキルベンゼンスルホネートとアルコキシル化アルキルサルフェートとの比、好ましくは直鎖状アルキルベンゼンスルホネートとエトキシル化アルキルサルフェートとの比は、１：２〜２０：１、好ましくは１．１：１〜１５：１、より好ましくは１．２：１〜１０：１、更により好ましくは１．３：１〜５：１、最も好ましくは１．４：１〜３：１である、請求項１〜９のいずれか一項に記載のプロセス。
【請求項１１】
前記洗濯洗剤組成物は、前記洗濯洗剤組成物の最大５０重量％、好ましくは５重量％〜５０重量％、より好ましくは７．５重量％〜４５重量％、更により好ましくは１０重量％〜４０重量％の前記非石鹸アニオン性界面活性剤を含む、請求項１〜１０のいずれか一項に記載のプロセス。
【請求項１２】
前記洗濯洗剤組成物は、前記洗濯洗剤組成物の８重量％未満、より好ましくは５重量％未満、最も好ましくは１重量％〜５重量％の脂肪酸、中和脂肪酸石鹸、又はこれらの混合物を含む、請求項１〜１１のいずれか一項に記載のプロセス。
【請求項１３】
前記洗濯洗剤組成物は、前記液体洗濯洗剤組成物の０重量％〜９．５重量％、好ましくは０．０１重量％〜９重量％、より好ましくは０．１重量％〜７重量％、更により好ましくは１重量％〜５重量％、最も好ましくは１重量％〜３重量％の脂肪族アルコールエトキシレートノニオン性界面活性剤を含む、請求項１〜１２のいずれか一項に記載のプロセス。
【請求項１４】
前記柔軟化組成物は、前記柔軟化組成物の２重量％〜２５重量％、好ましくは４重量％〜２０重量％、より好ましくは５重量％〜１５重量％、最も好ましくは５重量％〜１３％重量％の前記柔軟化活性物質を含む、請求項１〜１３のいずれか一項に記載のプロセス。
【請求項１５】
前記布地は、天然材料、合成材料、又はこれらの混合物を含み、好ましくは、前記布地は、綿、ポリエステル、綿／ポリエステル混紡、又はこれらの混合物から選択され、好ましくは綿である、請求項１〜１４のいずれか一項に記載のプロセス。
【発明の詳細な説明】
【技術分野】
【０００１】
本発明は、水溶性単位用量物品を希釈して布地を処理するための主洗浄液を生成し、続いて柔軟化組成物を希釈することによって形成された第２の後続のすすぎ液中で、上記の布地を処理する工程を含む、布地を洗濯する方法に関する。
【背景技術】
【０００２】
洗濯洗浄操作中、消費者は、布地を清浄にすること、及びこれらに布地柔軟化効果を付与することの両方を好む。これは、主洗浄工程で、洗濯洗剤を使用して布地を洗浄し、その後、後続のすすぎ工程中に、布地柔軟化活性物質を布地に添加することによって達成される。
【０００３】
しかしながら、洗濯洗剤及び洗濯柔軟剤の両方が過剰投与される傾向が存在する。この慣行は、資源及びエネルギーを浪費するために無駄が多く、したがって環境に優しくない。
【０００４】
理論に束縛されるものではないが、消費者は、布地を十分に清浄にするのを確かにするにはこうした慣行が必要であると感じているため、洗濯洗剤を過剰投与する傾向がある。十分な柔軟化効果を確かにするために、布地柔軟剤に対しても同様の慣行があることは明らかである。より具体的には、すすぎ液中に存在する柔軟化活性物質の一部は、洗浄操作中に布地に付着せず、すすぎ水と共に排出されるものと考えられる。これにより、布地の柔軟性能が損なわれ、また更に、環境の持続可能性に悪影響が及ぼされる。
【発明の概要】
【発明が解決しようとする課題】
【０００５】
したがって、当該技術分野には、好ましくは、より環境に優しい洗浄操作を可能にするために、洗浄中における洗濯洗剤及び布地柔軟化活性物質の過剰投与の低減を可能にする布地の洗濯方法に対する必要性が存在する。より好ましくは、この方法は、すすぎサイクル中の柔軟化活性物質の布地上への付着を改善することを可能にし、したがって、洗浄中の布地柔軟化活性物質の過剰投与の低減を可能にし、好ましくは、より環境に優しい洗浄操作を可能にする。
【０００６】
驚くべきことに、本発明の方法がこの問題を克服するということが見出された。洗濯洗剤を単位用量物品として配合することを確かにすることにより、洗濯洗剤の過剰投与の問題が最小限に抑えられる。これは、単位用量物品が単一の洗浄操作に十分な内蔵型単回用量としての役割を果たすため、消費者が洗濯洗剤を過剰投与する気をなくすためである。
【０００７】
加えて、主洗浄工程中に添加される単位用量物品中にカチオン性多糖ポリマーを配合すると、驚くべきことに、すすぎ工程における柔軟化活性物質の柔軟化性能が改善されることが見出されており、これは、所望の布地柔軟化を達成するために必要な柔軟化活性物質の量が減ることを意味する。
【課題を解決するための手段】
【０００８】
本発明の第１の態様は、布地を洗濯する方法であって、
ａ．水溶性単位用量物品を準備する工程であって、水溶性単位用量物品は、水溶性フィルムと洗濯洗剤組成物とを含み、洗濯洗剤組成物は、非石鹸アニオン性界面活性剤と、カチオン性多糖ポリマーと、洗濯洗剤組成物の１０重量％未満の脂肪酸、中和脂肪酸石鹸、又はこれらの混合物と、を含む、水溶性単位用量物品を準備する工程と、
ｂ．水溶性単位用量物品を十分な量の水と接触させて洗濯洗剤組成物を３００〜３０００倍に希釈して主洗浄液を生成し、洗濯される布地を洗浄液と接触させる工程と、
ｃ．洗浄される布地を主洗浄液中で洗浄し、続いて布地及び上記の主洗浄液を互いに分離する工程と、
ｄ．布地柔軟化組成物を提供する工程であって、布地柔軟化組成物は、第四級アンモニウム化合物、アミン、脂肪酸エステル、ショ糖エステル、シリコーン、分散性ポリオレフィン、多糖類、脂肪酸、柔軟化油、ポリマーラテックス、柔軟化粘土、及びこれらの組み合わせからなる群から選択される柔軟化活性物質を含み、好ましくは、布地柔軟化活性物質は、第四級アンモニウム化合物、及びこれらの混合物、より好ましくはエステルクワットからなる群から選択され、最も好ましくは、布地柔軟化活性物質は、ジエステルクワット、より好ましくはジエチルエステルジメチルアンモニウムクロリドからなる群から選択される、布地柔軟化組成物を提供する工程と、
ｅ．布地柔軟化組成物を十分な量の水と接触させて、布地柔軟化組成物を３００〜３０００倍に希釈してすすぎ液を生成し、工程ｃからの布地をすすぎ液と接触させる工程と、
ｆ．布地をすすぎ液中ですすぎ、続いて布地及び上記のすすぎ液を互いに分離する工程と、
ｇ．布地を乾燥させる工程と、を含む、方法である。
【図面の簡単な説明】
【０００９】
【図１】本発明による水溶性単位用量物品である。
【発明を実施するための形態】
【００１０】
方法
本発明は、布地を洗濯する方法を開示する。
【００１１】
本方法は、以下の工程を含む。
ａ．水溶性単位用量物品を準備する工程。
【００１２】
水溶性単位用量物品について、以下でより詳細に記載する。
【００１３】
ｂ．水溶性単位用量物品を十分な量の水と接触させて洗濯洗剤組成物を３００〜３０００倍に希釈して主洗浄液を生成し、洗濯される布地を洗浄液と接触させる工程。
【００１４】
洗濯される布地は、任意の好適な布地であってよい。布地とは、好ましくは、天然繊維又は合成繊維のネットワークを含む、織物又は布を意味する。当業者であれば、好適な布地を認識しているであろう。布地は、綿、ポリエステル、綿／ポリエステル混紡、又はこれらの混合物から選択され、好ましくは綿であり得る。布地は、除去される染み、汚れ、又はこれらの混合を含んでもよい。当業者であれば、除去されるのに好適な染み又は汚れを認識しているであろう。
【００１５】
当業者であれば、主洗浄液の作製方法を認識するであろう。理論に束縛されるものではないが、水溶性単位用量物品を水に添加することによって、水溶性フィルムが溶解して洗濯洗剤組成物を水中に放出し、主洗浄液が生成される。
【００１６】
主洗浄液は、自動洗濯機のドラム内で自動的に生成されてもよく、又は手動洗浄操作中に作製されてもよい。自動洗濯機のドラム内で作製される場合、従来的には、洗浄される布地及び水溶性単位用量物品をドラムに添加してから洗濯機の扉を閉じる。続いて、洗濯機がドラムに水を自動的に添加して主洗浄液を生成する。
【００１７】
ｃ．洗浄される布地を主洗浄液中で洗浄し、続いて布地及び上記の主洗浄液を互いに分離する工程。
【００１８】
当業者であれば、主洗浄液中で布地を洗浄するのに好適な方法を認識するであろう。布地は、自動洗濯機プロセス、若しくは手動洗浄操作、又はこれらの組み合わせにおいて、主洗浄液中で洗浄することができる。好ましくは、布地は自動洗濯機プロセスで洗濯される。
【００１９】
好ましくは、主洗浄液は、１Ｌ〜６４Ｌ、好ましくは２Ｌ〜３２Ｌ、より好ましくは３Ｌ〜２０Ｌの水を含み得る。
【００２０】
好ましくは、主洗浄液は、５℃〜９０℃、好ましくは１０℃〜６０℃、より好ましくは１２℃〜４５℃、最も好ましくは１５℃〜４０℃の温度である。
【００２１】
好ましくは、主洗浄液中での布地の洗浄は、完了までに５分〜５０分、好ましくは５分〜４０分、より好ましくは５分〜３０分、更により好ましくは５分〜２０分、最も好ましくは６分〜１８分かかる。
【００２２】
好ましくは、主洗浄液及びすすぎ洗浄液は、独立して１ｋｇ〜２０ｋｇ、好ましくは３ｋｇ〜１５ｋｇ、最も好ましくは５〜１０ｋｇの布地を含む。すすぎ洗浄液については、以下でより詳細に記載される。
【００２３】
主洗浄液は、好ましくは０ｇｐｇ〜４０ｇｐｇで変化する任意の硬度の水を含んでもよい。より低い水硬度は軟水と呼ばれ、一方でより高い水硬度は硬水と呼ばれる。
【００２４】
布地及び洗浄液は、布地の洗浄後に互いに分離される。こうした分離は、布地を洗浄液から取り出すこと、又は洗浄液を布地から排水することを伴い得る。自動洗濯機の操作においては、洗浄液を布地から排水することが好ましい。疑念を避けるため、布地と主洗浄液との分離後も洗浄液の一部は布地に浸み込んだままであり得、すなわち、布地は濡れたままであってよい。本発明に関しては、一旦、布地が洗浄液の主要量から分離されたら、又は洗浄液のミナ量（mina volume）が排出されていたら、場合によってはいくらかの残留洗浄液が布地に浸み込んだままであっても、布地及び洗浄液は互いに分離されていると見なされる。
【００２５】
ｄ．布地柔軟化組成物を提供する工程。
【００２６】
布地柔軟化組成物については、以下でより詳細に記載される。
【００２７】
ｅ．布地柔軟化組成物を十分な量の水と接触させて、布地柔軟化組成物を３００〜３０００倍に希釈してすすぎ液を生成し、工程ｃからの布地をすすぎ液と接触させる工程。
【００２８】
当業者であれば、すすぎ液の作製方法を認識するであろう。理論に束縛されるものではないが、布地柔軟化組成物が水に分散されるとすすぎ液を生成する。
【００２９】
すすぎ液は、自動洗濯機のドラム内で自動的に生成されてもよく、又は手動洗浄操作中に作製されてもよい。自動洗濯機のドラム内で作製される場合、従来的には、工程ｃからの布地は、主洗浄液の排水後に洗濯機のドラム内に留まる。続いて、洗濯機は、布地を含有するドラムに柔軟化組成物及び更なる水を自動的に投与して、布地を含むすすぎ液を生成する。好ましくは、工程ｃからの布地は、すすぎ液を生成する前に洗浄のドラムから除去されない。好ましくは、主洗浄液が排水されると、洗濯機は、主洗浄液の除去から３０分以内、好ましくは２０分以内、より好ましくは１０分以内、最も好ましくは５分以内にすすぎ液を生成する。
【００３０】
ｆ．布地をすすぎ液中ですすぎ、続いて布地及び上記のすすぎ液を互いに分離する工程。
【００３１】
当業者であれば、すすぎ液中で布地をすすぐのに好適な方法を認識するであろう。布地は、自動洗濯機プロセス若しくは手動すすぎ操作又はこれらの組み合わせにおいてすすぎ洗いされてもよい。好ましくは、布地は自動洗濯機プロセスですすぎ洗いされる。
【００３２】
好ましくは、すすぎ液は、１Ｌ〜６４Ｌ、好ましくは２Ｌ〜３２Ｌ、より好ましくは３Ｌ〜２０Ｌの水を含み得る。
【００３３】
好ましくは、すすぎ液は、５℃〜３０℃、好ましくは５℃〜２５℃、より好ましくは５℃〜２０℃、最も好ましくは５℃〜１５℃の温度である。
【００３４】
好ましくは、すすぎ液中での布地のすすぎ洗いは、完了までに１分〜３０分、好ましくは２分〜２５分、より好ましくは３分〜２０分、最も好ましくは５分〜１５分かかる。
【００３５】
好ましくは、すすぎ液は、１ｋｇ〜２０ｋｇ、好ましくは３ｋｇ〜１５ｋｇ、最も好ましくは５〜１０ｋｇの布地を含む。
【００３６】
すすぎ液は、好ましくは軟質の０ｇｐｇから４０ｇｐｇの間で変化する任意の硬度の水を含んでもよい。より低い水硬度は軟水と呼ばれ、一方でより高い水硬度は硬水と呼ばれる。
【００３７】
布地及びすすぎ液は、布地の洗浄後に互いに分離される。こうした分離は、布地をすすぎ液から取り出すこと、又はすすぎ液を布地から排水することを伴い得る。自動洗濯機の操作においては、すすぎ液を布地から排水することが好ましい。疑念を避けるため、布地とすすぎ液との分離後もすすぎ液の一部は布地に浸み込んだままであり得、すなわち、布地は濡れたままであってよい。本発明に関しては、一旦、布地がすすぎ液の主要量から分離されたら、又はすすぎ液の主要量が排出されていたら、場合によってはいくらかの残留すすぎ液が布地に浸み込んだままであっても、布地及びすすぎ液は互いに分離されていると見なされる。
【００３８】
ｇ．布地を乾燥させる工程。
【００３９】
当業者であれば、布地を乾燥させるのに好適な手段を認識するであろう。布地は、室温での吊り乾燥、自動乾燥機内での乾燥、又はその組み合わせで、乾燥されてもよい。当業者であれば、どの点で布地が濡れているのと対照して乾燥していると見なされるかについては、分かるであろう。
【００４０】
水溶性単位用量物品
水溶性単位用量物品は、水溶性フィルムと洗濯洗剤組成物とを含む。洗濯洗剤組成物と水溶性フィルムとは、下記でより詳細に説明される。
【００４１】
水溶性単位用量物品は、単位用量物品が水溶性フィルムによって取り囲まれた少なくとも１つの内部区画を含むような形状の水溶性フィルムを含み、洗濯洗剤組成物が当該区画内に存在する。単位用量物品は、内部区画を画定するように互いに封止された、第１の水溶性フィルムと、第２の水溶性フィルムとを含んでよい。水溶性単位用量物品は、保管中に洗濯洗剤組成物が区画から漏れ出さないように構成される。しかしながら、水溶性単位用量物品を水に添加すると、水溶性フィルムが溶解して、内部区画の内容物が洗浄液中に放出される。
【００４２】
区画は、洗剤組成物を保持する、単位用量物品内の閉じた内部空間を意味すると、理解すべきである。製造中、第１の水溶性フィルムは、洗剤組成物が添加される開口区画を含むような形状でよい。次に、区画の開口部を閉じる向きで、第２の水溶性フィルムで第１のフィルムを覆う。続いて、第１及び第２のフィルムは、封止領域に沿って共に封止される。
【００４３】
単位用量物品は、２つ以上の区画、更には少なくとも２つの区画、又は更には少なくとも３つの区画を含んでよい。区画は、重ね合わせられた向きで、すなわち、一方が他方の上に位置するように位置取りされてよい。このような向きでは、単位用量物品は、上部、中央及び下部の３つのフィルムを含むことになる。代替的に、区画は、隣り合った向きで、すなわち、一方が他方に隣接する向きで位置取りされてよい。区画は、更には「タイヤ及びリム」構成での向きであってよく、すなわち、第１の区画は、第２の区画に隣接して位置取りされるが、第１の区画は、第２の区画を少なくとも部分的に取り囲み、ただし、第２の区画を完全には囲まない。代替的に、一つのうちの区画が、別の区画内に完全に囲まれていてもよい。
【００４４】
単位用量物品が少なくとも２つの区画を含む場合、区画の一方が他方の区画より小さくてもよい。単位用量物品が少なくとも３つの区画を含む場合、区画のうちの２つが第３の区画より小さくてもよく、好ましくは、小さい方の区画が大きい方の区画上に重ね合わせられている。重ね合わせられた区画は、好ましくは、隣り合った向きにされる。
【００４５】
複数区画の向きにおいて、本発明による洗濯洗剤組成物が、区画のうちの少なくとも１つに含まれてもよい。例えば、洗濯洗剤組成物は１つの区画のみに含まれてもよく、又は２つの区画、若しくは更には３つの区画に含まれてもよい。
【００４６】
各区画は、同一の組成物又は異なる組成物を含んでもよい。異なる組成物は全て同一形態であってもよく、又は異なる形態であってもよい。
【００４７】
水溶性単位用量物品は少なくとも２つの内部区画を含んでよく、液体洗濯洗剤組成物が区画のうちの少なくとも１つに含まれ、好ましくは、単位用量物品が少なくとも３つの区画を含み、洗剤組成物が区画のうちの少なくとも１つに含まれる。
【００４８】
図１は、本発明による水溶性単位用量物品（１）を開示する。水溶性単位用量物品（１）は、第１の水溶性フィルム（２）と第２の水溶性フィルム（３）とを含み、これらは封止領域（４）で共に封止されている。洗濯洗剤組成物（５）は、水溶性可溶性単位用量物品（１）内に含まれる。
【００４９】
水溶性フィルム
本発明のフィルムは、水溶性又は水分散性である。好ましくは、水溶性フィルムの厚さは、２０μｍ〜１５０μｍ、好ましくは３５μｍ〜１２５μｍ、更により好ましくは５０μｍ〜１１０μｍ、最も好ましくは約７６μｍである。
【００５０】
好ましくは、最大孔径が２０μｍのガラスフィルタの使用後に、本明細書に記載の方法によって測定したフィルムの水溶性は、少なくとも５０％、好ましくは少なくとも７５％、又は更には少なくとも９５％である。
予め秤量した３Ｌのビーカーに、５グラム±０．１グラムのフィルム材料を添加し、２Ｌ±５ｍＬの蒸留水を添加する。これを、６００ｒｐｍに設定した磁気攪拌器（Ｌａｂｌｉｎｅモデル番号１２５０又は等価物）及び５ｃｍの磁気攪拌子によって、３０℃で３０分間激しく攪拌する。続いて、混合物を、上記で定義した孔径（最大２０μｍ）の湾曲した定性分析用焼結ガラスフィルタにより濾過する。任意の従来の方法によって、回収した濾液から水を乾燥させ、残った材料の重量を求める（これが溶解画分又は分散画分である）。続いて、溶解度又は分散性の百分率を計算することができる。
【００５１】
好ましいフィルム材料は、好ましくはポリマー材料である。フィルム材料を、当該技術分野において公知の、例えば、ポリマー材料の注型成形、吹込成形、押出成形又は吹込押出成形によって得ることができる。
【００５２】
パウチ材料としての使用に好適な好ましいポリマー、コポリマー又はそれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリビニルアセテート、ポリカルボン酸及び塩、ポリアミノ酸又はペプチド、ポリアミド、ポリアクリルアミド、マレイン酸／アクリル酸のコポリマー、デンプン及びゼラチンを含むポリサッカライド、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。
【００５３】
ポリマー及び／又はコポリマーの混合物はまた、パウチ材料として、特に、ポリビニルアルコールポリマー及び／又はコポリマーの混合物、特に、ポリビニルアルコールホモポリマー及び／又はアニオン性ポリビニルアルコールコポリマーの混合物、好ましくは、スルホン酸化及びカルボキシル化アニオン性ポリビニルアルコールコポリマー、特に、カルボキシル化アニオン性ポリビニルアルコールコポリマーから選択されるアニオン性ポリビニルアルコールコポリマーの混合物として使用することもできる。最も好ましくは、水溶性フィルムは、ポリビニルアルコールホモポリマーとカルボキシル化アニオン性ポリビニルアルコールコポリマーとのブレンドを含む。
【００５４】
好ましいフィルムは、冷水、すなわち、加熱されていない蒸留水中で良好な溶解を示すものである。好ましくは、このようなフィルムは、２４℃、更により好ましくは１０℃の温度で、良好な溶解を示す。良好な溶解とは、上述の最大孔径が２０μｍのガラスフィルタの使用後に、本明細書に記載の方法により測定したフィルムの示す水溶性が、少なくとも５０％、好ましくは少なくとも７５％、又は更には少なくとも９５％であることを意味する。
【００５５】
好ましいフィルムには、Ｍｏｎｏｓｏｌによって商品参照番号Ｍ８６３０、Ｍ８９００、Ｍ８７７９、Ｍ８３１０として供給されているものがある。
【００５６】
フィルムは、不透明、透明又は半透明であってもよい。フィルムは、印刷された領域を含んでもよい。
【００５７】
印刷領域は、フレキソ印刷又はインクジェット印刷などの標準的な技術を使用して得ることができる。
【００５８】
フィルムは、嫌悪剤、例えば苦味剤を含んでもよい。好適な苦味剤としては、ナリンギン、サッカロースオクタアセテート、塩酸キニーネ、デナトニウムベンゾエート、又はこれらの混合物が挙げられるが、これらに限定されない。任意の好適な濃度の嫌悪剤をフィルムに使用してよい。好適な濃度としては、１〜５０００ｐｐｍ、又は更には１００〜２５００ｐｐｍ、又は更には２５０〜２０００ｒｐｍが挙げられるが、これらに限定されない。
【００５９】
洗濯洗剤組成物
洗濯洗剤組成物は、液体、粉末、又はこれらの混合物、好ましくは液体洗濯洗剤組成物である。
【００６０】
固体洗濯洗剤組成物は、固体微粒子を含んでもよく、又は単一の均質な固体であってもよい。好ましくは、固体洗濯洗剤組成物は、粒子を含む。このことは、固体が単一の均質固体であるものとは対照的に、固体洗濯洗剤組成物が個々の固体粒子を含むことを意味する。粒子は、流動性であってもよく、又は圧縮されてもよく、好ましくは流動性である。
【００６１】
「液体洗濯洗剤組成物」という用語は、布地を濡らし、処理することが可能な液体を含む、任意の洗濯洗剤組成物を指し、限定するものではないが、液体、ゲル、ペースト、分散液などが挙げられる。液体組成物は、好適に細分された形態の固体又は気体を含んでいてもよいが、液体組成物では、粉末、錠剤又は顆粒など、全体として非流動性である形態を除外する。
【００６２】
洗濯洗剤組成物は、非石鹸アニオン性界面活性剤を含む。洗濯洗剤組成物は、最大５０％、好ましくは５％〜５０％、より好ましくは７．５％〜４５％、更により好ましくは１０％〜４０％を含んでもよい。洗濯洗剤組成物は、洗濯洗剤組成物の１２重量％〜３７重量％、好ましくは１５重量％〜３０重量％の非石鹸アニオン性界面活性剤を含み得る。
【００６３】
好ましくは、非石鹸アニオン性界面活性剤は、直鎖状アルキルベンゼンスルホネート、アルコキシル化アルキルサルフェート、又はこれらの混合物、より好ましくはこれらの混合物を含み、直鎖状アルキルベンゼンスルホネートとアルコキシル化アルキルサルフェートとの重量比、好ましくは直鎖状アルキルベンゼンスルホネートとエトキシル化アルキルサルフェートとの重量比は、１：２〜２０：１、好ましくは１．１：１〜１５：１、より好ましくは１．２：１〜１０：１、更により好ましくは１．３：１〜５：１、最も好ましくは１．４：１〜３：１である。
【００６４】
直鎖状アルキルベンゼンスルホネートとエトキシル化アルキルサルフェートとの重量比は、１：１０〜２０：１、好ましくは１：７〜３：１、より好ましくは１：５〜１．５：１であり得る。
【００６５】
洗濯洗剤組成物は、カチオン性多糖ポリマーを含む。洗濯洗剤組成物は、洗濯洗剤組成物の０．０５重量％〜１０重量％、好ましくは０．１重量％〜５重量％、より好ましくは０．２重量％〜３重量％、最も好ましくは０．２５重量％〜１重量％のカチオン性多糖ポリマーを含み得る。
【００６６】
好ましくは、カチオン性多糖ポリマーは、カチオン変性ヒドロキシエチルセルロース、カチオン変性ヒドロキシプロピルセルロース、カチオン疎水変性ヒドロキシエチルセルロース、カチオン疎水変性ヒドロキシプロピルセルロース、又はこれらの混合物から選択され、より好ましくは、カチオン変性ヒドロキシエチルセルロース、カチオン疎水変性ヒドロキシエチルセルロース、又はこれらの混合物から選択される。
【００６７】
好ましくは、カチオン性多糖類は微粒子の形態であり、好ましくは、微粒子のカチオン性多糖類は、３００μｍ未満、より好ましくは２００μｍ未満、更により好ましくは１５０μｍ未満の平均Ｄ９０直径を有する。理論に束縛されるものではないが、微粒子の形態のカチオン性多糖類の配合は、カチオン性多糖類と水溶性フィルムとの相互作用を最小限に抑えるという更なる利益を有する。こうした相互作用は、フィルム及びカチオン性多糖類の両方の溶解を遅延させ得る。
【００６８】
洗濯洗剤組成物は、洗濯洗剤組成物の１０重量％未満の脂肪酸、中和脂肪酸石鹸、又はこれらの混合物を含む。好ましくは、洗濯洗剤組成物は、洗濯洗剤組成物の８重量％未満、より好ましくは５重量％未満、最も好ましくは１重量％〜５重量％の脂肪酸、中和脂肪酸石鹸、又はこれらの混合物を含む。理論に束縛されるものではないが、脂肪酸及び中和脂肪酸石鹸の濃度は慎重に制御することが好ましい。いくらかの脂肪酸又は中和脂肪酸石鹸は水硬度を中和するのに好ましいが、過剰な脂肪酸、脂肪酸石鹸、又はこれらの混合物は、布地上で塩形成を引き起こし、すすぎ工程で使用する前にカチオン性多糖類を不活性化させ得る。
【００６９】
好ましくは、洗濯洗剤組成物は、液体洗濯洗剤組成物の０重量％〜９．５重量％、好ましくは０．０１重量％〜９重量％、より好ましくは０．１重量％〜７重量％、更により好ましくは１重量％〜５重量％、最も好ましくは１重量％〜３重量％の脂肪アルコールエトキシレートノニオン性界面活性剤を含む。
【００７０】
洗濯洗剤組成物は、更なる清浄化ポリマー又はケアポリマーを含んでもよく、好ましくは、清浄化ポリマー又はケアポリマーは、エトキシル化ポリエチレンイミン、アルコキシル化ポリアルキルフェノール、両親媒性グラフトコポリマー、ポリエステルテレフタレート、カルボキシメチルセルロース、又はこれらの混合物から選択され得る。
【００７１】
洗濯洗剤組成物は、他の一般的な洗剤成分を更に含有してもよい。これらその他の洗濯洗剤成分は、漂白剤、漂白触媒、染料、色調剤、界面活性剤、溶媒、移染防止剤、キレート剤、酵素、香料、カプセル化香料、香料送達剤、抑泡剤、増白剤、ポリカルボキシレート、構造化剤、酸化防止剤、付着助剤、及びこれらの混合物から選択され得る。当業者であれば、好適な一般的成分を認識するであろう。
【００７２】
好ましくは、洗濯洗剤は、主洗浄液が、０．１ｐｐｍ〜１００ｐｐｍ、好ましくは０．５ｐｐｍ〜５０ｐｐｍ、より好ましくは１ｐｐｍ〜２０ｐｐｍのカチオン性多糖ポリマーを含むように、希釈される。
【００７３】
好ましくは、洗濯洗剤は、主洗浄液が、１０ｐｐｍ〜１０００ｐｐｍ、好ましくは５０ｐｐｍ〜９００ｐｐｍ、より好ましくは１００ｐｐｍ〜８００ｐｐｍの非石鹸アニオン性界面活性剤を含むように、希釈される。
【００７４】
好ましくは、洗濯洗剤は、主洗浄液が、３００ｐｐｍ未満、好ましくは５ｐｐｍ〜２５０ｐｐｍ、より好ましくは１０ｐｐｍ〜２００ｐｐｍの脂肪酸、中和脂肪酸石鹸、又はこれらの混合物を含むように、希釈される。
【００７５】
布地柔軟化組成物
好ましくは、柔軟化組成物は、柔軟化組成物の２重量％〜２５重量％、好ましくは４重量％〜２０重量％、より好ましくは５重量％〜１５重量％、最も好ましくは５重量％〜１３％重量％の柔軟化活性物質を含む。
【００７６】
好ましくは、布地柔軟化組成物は、第四級アンモニウム化合物、アミン、脂肪酸エステル、ショ糖エステル、シリコーン、分散性ポリオレフィン、多糖類、脂肪酸、柔軟化油、ポリマーラテックス、柔軟化粘土、及びこれらの組み合わせからなる群から選択される柔軟化活性物質を含み、好ましくは、布地柔軟化活性物質は、第四級アンモニウム化合物及びこれらの混合物、より好ましくは、エステルクワットからなる群から選択され、最も好ましくは、布地柔軟化活性物質は、ジエステルクワット、より好ましくは、ジエチルエステルジメチルアンモニウムクロリド（ＤＥＥＤＭＡＣ）からなる群から選択される。
【００７７】
好ましくは、柔軟化組成物は、すすぎ液が、１ｐｐｍ〜５００ｐｐｍ、好ましくは１０ｐｐｍ〜４００ｐｐｍ、最も好ましくは２０ｐｐｍ〜３００ｐｐｍの柔軟化活性物質を含むように、希釈される。
【００７８】
布地柔軟化組成物は、好ましくは、処理される布地に香りを提供することを目的とする、香料又は香料カプセル技術を更に含む。布地柔軟化組成物は、布地柔軟化組成物に使用される他の一般的な成分を含んでもよい。当業者であれば、こうした一般的成分を認識するであろう。
【００７９】
本発明は、柔軟化組成物中に存在する他の材料、例えば香料材料又は香料カプセルの付着又は性能を改善するために使用され得る。
【００８０】
製造方法
当業者は、当該技術分野において公知の方法を使用して、本発明の水溶性単位用量物品、洗濯洗剤組成物、及び布地柔軟化組成物を製造する方法を認識するであろう。
【００８１】
本明細書にて開示された寸法及び値は、列挙された正確な数値に厳密に限定されるものとして理解されるべきではない。その代わりに、特に指示がない限り、このような寸法は各々、列挙された値とその値を囲む機能的に同等な範囲との両方を意味することが意図されている。例えば、「４０ｍｍ」と開示された寸法は、「約４０ｍｍ」を意味することが意図される。
【実施例】
【００８２】
後続のすすぎサイクル中に添加されたジエチルエステルジメチルアンモニウムクロリド（ＤＥＥＤＭＡＣ）ジエステルクアット柔軟化活性物質の付着効率、ひいては柔軟性能に関する、主洗浄液中における本発明によるカチオン性ヒドロキシエチルセルロース（ＣａｔＨＥＣ）の存在の影響を、不在と対比して評価した。
【００８３】
【表１】
2020529531.tif 000003
＊エトキシル化ポリエチレンイミン、ＥＯ鎖当たり２０の平均エトキシル化度、及び約６００のＭＷを有するポリエチレンイミン主鎖を有する
＊＊ポリエチレングリコール主鎖（Ｐｌｕｒｉｏｌ  Ｅ６０００）と疎水性ビニルアセテート側鎖とを含むポリエチレングリコールグラフトポリマーであって、ポリエチレングリコール主鎖ポリマーのポリマー系４０重量％と、グラフト化ビニルアセテート側鎖のポリマー系６０重量％とを含む、ポリエチレングリコールグラフトポリマー
【００８４】
【表２】
2020529531.tif 000004
【００８５】
試験方法：
洗浄プロセス：
高負荷サイクルのトップローディング式Ｋｅｎｍｏｒｅ  ６００Ｌ洗濯機内で、１０片の綿１００％テリータオル（サイズ：３０ｃｍ×３０ｃｍ）を、１０片の綿５０％／ポリエステル５０％編みスワッチ（サイズ：３０ｃｍ×３０ｃｍ−Ｋ７４２２）及び綿８０％／ポリエステル２０％バラストロードと共に、上記の表で示した配合物２５．７ｇを加えて洗浄した（洗浄中の布地の総重量：２．７ｋｇ）（３２℃、洗浄時間：１２分、８ｇｐｇの水６４リットル）。上記で表に示した布地強化剤組成物２５．５ｇの存在（比較例Ｃ−実施例Ａ）／不在（比較例Ａ及びＢ）下で、布地を最終的に３分間すすぎ洗いし（２０℃、洗浄時間：３分、８ｇｐｇの水６４リットル）、回転乾燥した。
【００８６】
布地対布地摩擦測定：
綿１００％のテリータオルトレーサを、一定温度（２３℃）及び湿度（相対湿度５５％）を有する室内で少なくとも５時間平衡化した。布地対布地動摩擦係数を、２．５ｋｇのロードセル及び２５ｍｍのクロスヘッド高さを有するＴｈｗｉｎｇ−Ａｌｂｅｒｔ  Ｆｒｉｃｔｉｏｎ  Ｐｅｅｌ  Ｔｅｓｔｅｒを使用して、同じ室内で測定した。第１の布地片を器具の試料ステージ上に置き、第２の同じ布地片（１１．４３ｃｍ×６．３５ｃｍ）を、ロードセルに取り付けられた２００ｇのクランプスレッドに取り付け、第１の布地片の表面上に配置した。摩擦剥離試験機は、（クランプスレッド上の）第２の布地片を、２０ｃｍ／分の速度で２０秒間、（試料ステージ上の）第１の布地片の上を移動させるようにプログラムされている。布地が互いの上を移動すると、ソフトウェアは、クランプスレッド上の布地によって受け摩擦力を記録する。テリータオルトレーサは、布目（grain）に対して測定するために、器具上に配置される。
【００８７】
動摩擦係数（「ＫＣｏＦ」と呼ばれる）は、測定の最後の１０秒の平均力（運動セクション）を測定中に及ぼされる垂直力で割ることによって導出される。この動摩擦係数は、柔軟性の尺度として用いられる。低い動摩擦係数は、摩擦が少ないことを意味し、したがって、より良好な柔軟性を意味する。１０枚のテリータオルの平均摩擦の結果を以下に報告する。
【００８８】
ジエステルクアットの付着測定
洗浄試験後に布地から抽出したＤＥＥＤＭＡＣジエステルクアット材料の濃度を、複数反応モニタリング（ＭＲＭ）を用いて、親水性相互作用液体クロマトグラフィー／タンデム質量分析（ＨＩＬＩＣ／ＭＳ／ＭＳ）分析により分析した。
【００８９】
ＤＥＥＤＭＡＣジエステルクアット原料を使用して、検量線を生成するための標準試薬を調製した。この曲線は、１３．２〜１６４４ｎｇ／ｍＬの標準試薬濃度範囲をカバーし、これは、布地上に付着した活性ジエステルクアットの１２．８〜１５９６μｇ／ｇ（ｐｐｍ）と解釈される。重水素により標識された内部標準を使用して、マトリックス効果を補正した。
【００９０】
付着したＤＥＥＤＭＡＣジエステルクアットの量は、抽出されたＤＥＥＤＭＡＣジエステルクアット材料の測定値を、生成された検量線と交差比較することによって定義された。１０枚の綿テリータオルの平均結果を報告した。
【００９１】
【表３】
2020529531.tif 000005
【００９２】
【表４】
2020529531.tif 000006
【００９３】
試験結果：
以下の表は、布地上に付着したジエステルクアット（ＤＥＥＤＭＡＣ）柔軟化活性物質の実際の量、及び布地上で測定されて得られた摩擦係数を示す。本発明によるカチオン性ヒドロキシエチルセルロースを主洗浄液製品に配合すると、すすぎ中のジエステルクアット柔軟化活性物質（ＤＥＥＤＭＡＣ）の付着が強化され、したがって、柔軟化性能が改善される（摩擦係数−ＫＣｏＦの低下）ことについて明らかに分かり得る。
【００９４】
【表５】
2020529531.tif 000007
【図１】
2020529531.tif 000008
【国際調査報告】
2020529531.tif 000009
2020529531.tif 000010